(57)【要約】  【課題】  液晶表示部のバックライトに蛍光管を用いる場合であっても，該蛍光管から放射される近赤外線と，リモコンからのリモコン信号との干渉による不具合を極力低減することが可能であり，かつ前記液晶表示部により適切な明るさの画像を表示することが可能な液晶表示装置を提供すること。  【解決手段】  バックライト蛍光管４から放射される近赤外線の強度が十分に減衰するまで，前記バックライト蛍光管４による照明強度を略上限の強度にする。それと同時に，前記映像処理部１に，液晶表示部２から出力される映像信号の輝度を低下させる処理を行わせる。【選択図】  図１
2007025121.tif 000002
【特許請求の範囲】
【請求項１】
液晶表示部の背面側を照明する蛍光管と，赤外線によるリモコン信号を受信して前記液晶表示部への表示内容を制御するリモコン制御手段と，を具備してなる液晶表示装置であって，
前記蛍光管による照明の開始後において所定の条件が満たされた後に，前記蛍光管による照明強度を下げる照明強度制御手段と，
前記蛍光管による照明の開始後において前記所定の条件が満たされた後に，前記液晶表示部に出力する映像信号の輝度を上げる映像輝度制御手段と，
を具備してなることを特徴とする液晶表示装置。
【請求項２】
前記蛍光管による照明の開始直後における前記照明強度が略上限の強度である請求項１に記載の液晶表示装置。
【請求項３】
前記所定の条件が，前記蛍光管による照明開始時から所定時間経過したことである請求項１又は２のいずれかに記載の液晶表示装置。
【請求項４】
前記蛍光管から放射される赤外線の強度を検出する赤外線強度検出手段を具備し，
前記所定の条件が，赤外線強度検出手段による赤外線の検出強度が予め定められた検出強度にまで達することである請求項１又は２のいずれかに記載の液晶表示装置。
【請求項５】
前記リモコン信号の受信手段が前記赤外線強度検出手段と兼用されてなる請求項４に記載の液晶表示装置。
【発明の詳細な説明】
【技術分野】
【０００１】
本発明は，例えば液晶表示部により映像信号の表す画像を表示する液晶表示装置であって，特にバックライトに蛍光管が用いられた液晶表示部により画像を表示する液晶表示装置に関するものである。
【背景技術】
【０００２】
液晶表示部による表示の際には，前記液晶表示部は背面側より照明される。その照明には蛍光管が用いられることが多く，例えば周囲の明るさに応じて照明の強度を調節し，視覚的に快適な画像を表示する技術などが知られている。
尚，照明開始直後等において前記蛍光管の温度が低い場合，該蛍光管からは，可視光以外にも，０．７μｍ〜２．０μｍの波長領域を有する，例えばアルゴンスペクトル等の近赤外線が放射される。このような近赤外線の波長領域は，リモコンから出力されるリモコン信号信号の波長領域（０．９μｍ〜１．０μｍ）とオーバーラップする。従って，前記リモコンから出力されたリモコン信号は，前記蛍光管により放射された近赤外線と干渉するため，前記リモコン信号を受信する受信部に，正常な前記リモコン信号が届かなくなるという問題がある。
【０００３】
そこで，そのような問題を解決する方法として，以下の第１，第２の方法が知られている。
第１の方法は，特許文献１等に記載のように，光学フィルタを用いる方法である。即ち，液晶表示部等に前記近赤外線を遮断する光学フィルタを設けておき，前記蛍光管からの近赤外線と前記リモコンからのリモコン信号との干渉を防止する。
また，第２の方法は，以下のようなものである。即ち，前記蛍光管から前記近赤外線が放射される期間を出来るだけ短縮するように，前記蛍光管による照明開始直後においては，前記蛍光管による照明強度を例えば略上限の強度にする。そのような高い照明強度により，前記蛍光管の温度上昇が促されるので，近赤外線の放射期間が短縮される。
【特許文献１】特開平０６−１４０１５８号公報
【発明の開示】
【発明が解決しようとする課題】
【０００４】
しかしながら，上述の第１の技術では，前記液晶表示部による表示画像の画質が悪化するという問題点がある。また，前記近赤外線に加えて可視光領域の光（つまり，前記液晶表示部による照明用の光）も部分的に遮断してしまうため，前記蛍光管の照射強度を常に高く保つ必要があり，省エネの観点からも望ましいものではない。
また，上述の第２の技術では，照明開始直後には，周囲の明るさ如何にかかわらず強い照明強度で前記液晶表示部の背面が照明されるため，過度な明るさの画像が表示されてしまうという問題点がある。
従って，本発明は上記事情に鑑みてなされたものであり，その目的とするところは，液晶表示部のバックライトに蛍光管を用いる場合であっても，該蛍光管から放射される近赤外線と，リモコンからのリモコン信号との干渉による不具合を極力低減することが可能であり，かつ前記液晶表示部により適切な明るさの画像を表示することが可能な液晶表示装置を提供することにある。
【課題を解決するための手段】
【０００５】
上記目的を達成するために本発明は，液晶表示部の背面側を照明する蛍光管を具備し，赤外線によるリモコン信号を受信して前記液晶表示部への表示内容を制御することが可能な液晶表示装置であって，前記蛍光管による照明の開始後において所定の条件が満たされた後に前記蛍光管による照明強度を下げ，また前記液晶表示部に出力する映像信号の輝度を上げることを特徴とする液晶表示装置である。
つまり，前記蛍光管による照明開始時においては，一時的に照明強度を定常運転時における照明強度よりも上げた状態にして，前記蛍光管の温度上昇を促すと共に，映像信号の輝度を下げる制御を行う。また，前記所定の条件が満たされた後に，前記蛍光管の照明強度を定常運転時における照明強度に戻すとともに前記映像信号の輝度を定常運転時における輝度に戻す制御をする。
これにより，前記蛍光管の温度が早期に上昇して近赤外線が放射されなくなり，その近赤外線とリモコン信号との干渉による不具合は低減される。また，前記蛍光管の温度上昇を促すために，前記照明強度を強くしている間は，前記映像信号の輝度が下げられているので，照明強度が強い状態であっても，前記液晶表示部の表示画面からは視覚的に快適な適度な明るさの画像が表示される。
【０００６】
ここで，前記蛍光管による照明開始直後には前記蛍光管による照明強度を略上限の強度にすると，極力早期に前記蛍光管の温度を上昇させることが可能であり，好適である。
ところで，前記蛍光管による照明強度を下げ，前記映像信号の輝度を上げるタイミングを決める前記所定の条件としては，様々なものが考えられる。
例えば，前記蛍光管から放射される前記近赤外線の強度を検出しておき，その検出レベルが予め定められた適度な検出レベルにまで低下することを，前記所定の条件とすることが考えられる。尚，この場合，前記リモコン信号の受信部を，前記近赤外線の強度検出のための受光部と兼用することが可能である。
また，前記蛍光管による照明開始からの経過時間と，前記近赤外線の強度の減衰の度合いとの関係が判っている場合には，前記近赤外線の強度が前記リモコン信号に悪影響を及ぼさないとされる強度にまで低下する経過時間を予想しておき，その予想時間の経過を前記所定の条件とすることも考えられる。
更に，前記蛍光管の温度を検出し，検出温度が予め定められた温度にまで低下することを前記所定の条件とすることも考えられる。
【発明の効果】
【０００７】
本発明によれば，蛍光管による照明の開始後においてはその照明強度が高く制御されるので，蛍光管の温度を早期に上昇させて該蛍光管から近赤外線が放射される期間が短縮される。これにより，前記近赤外線とリモコン信号との干渉による不具合は極力防止される。また，前記蛍光管の温度上昇を促すために照明強度を強く制御している間は，前記映像信号の輝度が下げられているので，照明強度が強い状態であるにもかかわらず，前記液晶表示部の表示画面からは適度な明るさの画像が表示される。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る液晶表示装置の概略構成図，図２は本発明の一実施形態に係る液晶表示装置の有する照明強度調節部の概略構成図，図３は本発明の一実施形態に係る液晶表示装置の有する制御部による照明強度の調節方法を説明する概念図，図４は本発明の一実施形態に係る液晶表示装置の有する制御部による映像信号の輝度調節の方法を説明する概念図である。
【０００９】
（１）本発明の一実施形態に係る液晶表示装置Ａの概略について。
以下，図１を参照しつつ，本発明の一実施形態に係る液晶表示装置Ａの概略構成について説明する。
図１に示される如く，本発明の一実施形態に係る液晶表示装置Ａは，映像処理部１，液晶表示部２，制御部３，蛍光管バックライト４，照明強度調節部５，リモコン信号受信部６等を有して概略構成される。
外部から前記映像処理部１に表示画像を表す映像信号が入力される。該映像信号には，前記映像処理部１により，例えば輝度の調節処理等を含む種々の処理が施された後，前記液晶表示部２の表示画面から画像として表示される。
前記制御部３は，ＭＰＵ等の演算部とＲＯＭ，ＲＡＭ等の記憶部とを有するものであり，該記憶部に記憶された制御プログラムに従って，当該液晶表示装置Ａの統括的な制御を行うものである。
前記蛍光管バックライト４は，前記液晶表示部２の背面側を照明するものである。また，前記照明強度調節部５は，前記蛍光管バックライト４による照明強度を，前記制御部３による制御に従って調節するものである。
前記リモコン信号受信部６は，図外のリモコン装置より出力された，例えば０．９μｍ〜１．０μｍの波長を有する近赤外線（赤外線の一例）によるリモコン信号を受信するインターフェースである。前記リモコン信号受信部６により受信された前記リモコン信号は前記制御部３に入力され，その信号に重畳された，ユーザによる操作内容が読み取られる。また，前記制御部３は読み取られた操作内容に基づいて，前記映像処理部１若しくは前記照明強度調節部５を制御し，前記液晶表示部２による表示内容を制御する。前記制御部３及び前記リモコン信号受信部６がリモコン制御手段の一例である。
【００１０】
（２）本発明の一実施形態に係る液晶表示装置Ａの特徴点について。
前記蛍光管バックライト４による前記液晶表示部２の照明開始直後等においては，前記蛍光管バックライト４の温度が低い状態である。その状態では，前記蛍光管バックライト４からは０．７μｍ〜２．０μｍの波長領域を持つ近赤外線が放射される。このような近赤外線の波長領域は前記リモコン信号の波長領域（０．９μｍ〜１．０μｍ）とオーバーラップしてしまうため，前記リモコン信号と前記近赤外線とが干渉してしまい，前記リモコン信号受信部６による前記リモコン信号の受信に不具合（例えば，前記リモコン信号に重畳された情報の変質，前記リモコン信号の強度低下等）が生じる。
そこで，前記制御部３は，前記蛍光管バックライト４を極力早期に温度上昇させるべく，前記蛍光管バックライト４による照明開始時には，その照明強度が略上限になるように，前記照明強度調節部５に照明強度の調節を行わせる。また，この状態では，前記制御部３は前記映像処理部１を制御し，該映像処理部１に入力されている前記映像信号の輝度を低下させる。これにより，前記液晶表示部２の表示画面からは適度な明るさの画像が表示される。
その後，後に詳述する既定条件（所定の条件）が満たされた後に，前記制御部３は，前記蛍光管バックライト４が温度上昇して前記近赤外線の放射量が低下したものとして前記照明強度調節部５を制御し，前記蛍光管バックライト４の照明強度を低下させる。また，やはり前記既定条件が満たされた後に，前記制御部３は前記映像処理部１を制御し，前記液晶表示部２に出力する映像信号の輝度を上昇させる。尚，以下では，前記蛍光管バックライト４による照明開始から前記既定条件が満たされるまでの期間を初動期間，前記既定条件が満たされた以降を定常運転期間という。
つまり，前記制御部３は，前記既定条件が満たされるまでの初動期間は，前記蛍光管バックライト４の照明強度を一時的に強くする補正を行う。それと同時に前記映像信号の輝度を一時的に下げる補正を行う。また，前記既定条件が満たされた以降の定常運転期間は，前記照明強度及び前記輝度の一時的な補正を解除する。
前記制御部３が照明強度制御手段，映像輝度制御手段の一例である。
以下，そのような制御の具体的方法について説明する。
【００１１】
（３）蛍光管バックライト４の照明強度の調節について。
図２は，本発明の一実施形態に係る液晶表示装置Ａの有する照明強度調節部５の概略構成図である。以下，図２を参照しつつ，前記蛍光管バックライト４の照明強度の制御方法について説明する。
図２に示されるように，前記照明強度調節部５は，インバータ７，比較器８，ジェネレータ９，加算機１０を有する。
前記インバータ７はその稼働時に図２の閉回路αに通電を行う。前記蛍光管バックライト４には，前記閉回路αの通電に連動して電流が流れる。このようなシステムでは，前記蛍光管バックライト４の照明強度は，前記インバータ７の稼働時間と非稼働時間との比（以下，稼働デューティ比）に依存する。つまり，全時間（稼働時間と非稼働時間との和）における前記稼働時間の割合が大きいほど，前記蛍光管バックライト４の照明強度が高くなる。
【００１２】
図３は前記インバータ７の稼働デューティ比の調節方法を説明する為の概念図である。以下，図２及び図３を参照しつつ，前記稼働デューティ比の調節方法について説明する。
前記インバータ７は前記比較器８に接続されており，前記比較器８から所定のＰＷＭ信号が入力されたときのみ稼働する。前記比較器８には，前記制御部３から所定のＣＯＮＴ信号が入力されており，また，前記ジェネレータ９からノコギリ波が入力されている。前記比較器８は前記ＣＯＮＴ信号の出力と前記ノコギリ波の出力とを比較し，前記ＣＯＮＴ信号の出力の方が大きいときのみ，前記ＰＷＭ信号を前記インバータ７に入力する。図３（ａ）は前記ＣＯＮＴ信号の強度が高い場合を表しており，図３（ｂ）は前記ＣＯＮＴ信号の強度が低い場合を表している。
図３（ａ）と（ｂ）とを比較すれば，前記ＣＯＮＴ信号の強度が高い程，前記ＰＷＭ信号の出力時間が多くなり，前記インバータ７による前記稼働デューティ比も大きくなることが理解できる。例えば，前記ＣＯＮＴ信号の強度を前記ノコギリ波の極大付近の強度に設定した場合，前記蛍光管バックライト４による照明強度は略上限の強度にされる。
尚，前記ＣＯＮＴ信号の強度は，加算機１０により前記蛍光管バックライト４の電位に応じて減算補正される。
前記制御部３の前記ＲＡＭには，前記初動期間において前記照明強度調節部５（前記比較器８）に入力される前記ノコギリ波の極大付近の強度（高めの強度），及び前記定常運転期間における前記低めの強度が予め記憶されている。前記制御部３は，後に説明するように，上述の既定条件が満たされたか否かを判別し，その判別結果に基づいて，前記初動期間には前記ＲＡＭに記憶された，高めの強度の前記ＣＯＮＴ信号を前記照明強度調節部５に入力する。また，前記定常運転期間には前記ＲＡＭに記憶された，低めの強度の前記ＣＯＮＴ信号を前記照明強度調節部５に入力する。
このように，前記制御部３が前記ＣＯＮＴ信号の強度を調節することにより，前記照明強度調節部５を介して前記蛍光管バックライト４による照明強度を調節することが可能である。
もちろん，ユーザは前記リモコンを介しての操作入力により，前記制御部３が前記照明強度調節部５に入力する前記ＣＯＮＴ信号の強度は変更可能であり，これに伴って前記照明強度の強さは変更可能である。
【００１３】
（４）映像信号の輝度の調節について。
前記映像処理部１はＲＡＭを有している。そのＲＡＭには，図４に示されるような，前記映像処理部１に入力された映像信号の表す画像の各画素における輝度（以下，映像信号の輝度という）を，前記液晶表示部からの出力時の輝度（実際の表示画面の輝度）に換算するルールを示す換算テーブルが２つ記憶されている。
尚，輝度は０〜２５５までの２５６段階の範囲に定められているものとする。また，０が最も輝度が低い階調であり，２５５が最も輝度の高い階調であるとする。また，前記換算テーブルγ１及びγ２によれば，入力時の前記映像信号の輝度と出力時の輝度とは略比例関係にあるものとする。
前記映像処理部１が前記換算テーブルγ１を用いて映像信号に処理を施す場合，前記映像処理部１は入力時の輝度のままで前記映像信号を前記液晶表示部２より出力する。つまり，前記映像処理部１は前記映像信号に対して輝度の補正を施さない。
一方，前記映像処理部１が前記換算テーブルγ２を用いて映像信号に処理を施す場合，前記映像処理部１は出力時における前記映像信号の輝度を入力時における輝度よりも低下させる。例えば，ある画素の輝度が２５５であれば，その画素の輝度を２００にまで低下させる処理を施す。
ここで，示される換算テーブルγ１は，前記定常運転期間において用いられるものであり，一方前記換算テーブルγ２は前記初動期間において用いられるものである。具体的には，前記制御部３は，前記映像処理部１を制御し，前記初動期間においては，前記映像信号の処理に前記換算テーブルγ２を用いさせる。また，前記制御部３は，後述の既定条件が満たされた後の前記定常運転期間には，前記映像信号の処理に前記換算テーブルγ１を用いさせる。
これにより，前記初動期間のみ前記映像信号の輝度が一時的に低下した状態にされる。
【００１４】
（５）既定条件について。
ところで，前記初動期間と前記定常運転期間との切り替えのタイミングを決める既定条件として，本実施形態では以下のような条件を用いる。即ち，前記蛍光管バックライト４から放射される前記近赤外線の強度が十分に低下することを，前記既定条件とする。以下，該既定条件が満たされたか否かを判別する方法について説明する。
まず，前記蛍光管バックライト４から放射される前記近赤外線を受光するための受光部を，前記蛍光管バックライト４による放射光の照射範囲に設けておく。その受光部で受信された前記近赤外線は前記制御部３に入力される。更に，前記制御部３により，入力された前記近赤外線の強度が検出される。前記受信部及び前記制御部３が赤外線強度検出手段の一例である。この場合，前記リモコン信号受信部６を，前記蛍光管バックライト４による前記近赤外線の受光部と兼用することが可能である。
前記蛍光管バックライト４による照明開始後の時間経過に伴って，前記制御部３による前記近赤外線の前記検出強度が低下する。そこで，該検出強度が，予め前記制御部３の記憶部に記憶された検出強度にまで達したときに，前記制御部３は前記既定条件が満たされたものと判別する。そして，前述のように，一時的に略上限にされている前記蛍光管バックライト４による照明強度を，前記定常運転期間における照明強度にまで低下させる。また，一時的に低下させている，前記液晶表示部２から出力させる前記映像信号の輝度を，前記定常運転期間における輝度にまで上げる制御を行う。
以上，本実施形態に係る液晶表示装置Ａによれば，前記蛍光管バックライト４による照明の開始後の初動期間においては，その照明強度が高く制御されるので，前記蛍光管バックライト４の温度上昇が促され，近赤外線が放射される期間が短縮される。これにより，前記近赤外線と前記リモコン信号との干渉による不具合は極力防止される。
また，前記蛍光管バックライト４による照明強度を強く制御している間は，前記映像信号の輝度が下げられているので，照明強度が強い状態であるにもかかわらず，前記液晶表示部２の表示画面からは適度な明るさの画像が表示される。
【実施例】
【００１５】
上述の実施形態においては，初動期間と定常運転期間との切り替えのタイミングを定める既定条件を，蛍光管バックライト４による近赤外線の照射強度が低下することとしたが，本発明はこれに限られるものではない。
例えば，前記蛍光管バックライト４による照明開始後の経過時間と，前記近赤外線の減衰の様子との関係が予め判別している場合には，予め定められた適当な時間の経過を前記既定条件とすることもできる。即ちタイマを設けておき，前記蛍光管バックライト４による照明開始後の経過時間を測定する。また，前記近赤外線が十分に減衰したと予想される時間を制御部３のＲＡＭに記憶しておき，その記憶情報と前記経過時間の測定結果とを比較することにより，前記既定条件が満たされたか否かを判別すればよい。
また，前記蛍光管バックライト４の温度を測定する温度センサを用い，測定温度が十分に上昇したことを前記既定条件としてもよい。
【図面の簡単な説明】
【００１６】
【図１】本発明の一実施形態に係る液晶表示装置の概略構成図。
【図２】本発明の一実施形態に係る液晶表示装置の有する照明強度調節部の概略構成図。
【図３】本発明の一実施形態に係る液晶表示装置の有する制御部による照明強度の調節方法を説明する概念図。
【図４】本発明の一実施形態に係る液晶表示装置の有する制御部による映像信号の輝度調節の方法を説明する概念図。
【符号の説明】
【００１７】
１…映像処理部
２…液晶表示部
３…制御部
４…蛍光管バックライト
５…照明強度調節部
６…リモコン信号受信部
７…インバータ
８…比較器
９…ジェネレータ
１０…加算機
γ１，γ２…換算テーブル
【図１】
2007025121.tif 000003
【図２】
2007025121.tif 000004
【図３】
2007025121.tif 000005
【図４】
2007025121.tif 000006